(57)【要約】      （修正有）【課題】補助工具の助けによらずとも、デジタルカードの出し入れができるカードコネクタを提供する。【解決手段】カードコネクタは、絶縁本体、複数の導電端子、カードイジェクト機構、カードシート及びカード保持弾性片を有する。絶縁本体の一つの側壁にスライド空間１３３を、スライド空間内に軌跡曲線溝１３３３を、絶縁本体の後壁に回転アーム溝１２４を設ける。複数の導電端子は絶縁本体の底壁に一体成形する。カードイジェクト機構はスライド空間に取り付けた連接棒、連接棒の両端に接続されたボタン５２及びスイングアーム及び後壁、連接棒に突き当たる弾性部品５５及び回転アームを包み、スイングアームは軌跡曲線溝に沿って運動し、回転アームは回転アーム溝１２４内に取り付け並びにスイングアームと接続する。カードシートは収容空間に挿入する。カード保持弾性片は絶縁本体の側壁に固定し収容空間に延伸し、カードシート側縁に弾性当接する。【選択図】図３
0003188646.tif 000002
【実用新案登録請求の範囲】
【請求項１】
カードコネクタにおいて、
絶縁本体であって、底壁、該底壁の後側端及び両側端がそれぞれ上向きに垂直に延伸されてなる後壁及び両側壁、該底壁、該後壁及び該両側壁で囲まれてなる収容空間を包含し、該絶縁本体は一側壁にスライド空間が設けられ、該スライド空間内に軌跡曲線溝が設けられ、該絶縁本体の後壁中部に回転アーム溝が設けられている、上記絶縁本体と、
該絶縁本体の底壁に一体成形された、複数の導電端子と、
カードイジェクト機構であって、連接棒、該連接棒の後端に枢接されたスイングアーム、該スイングアームと協働する回転アーム及び弾性部品を包含し、該連接棒、該スイングアームは、該絶縁本体の側壁の該スライド空間内に取り付けられ、該スイングアームの後端はスライド自在に該軌跡曲線溝に沿って運動し、該回転アームの中部は該絶縁本体の後壁の回転アーム溝内に枢接され、これにより、該回転アームの一端が回転可能に該収容空間内に凸伸し、該回転アームの後表面に、位置制限面が設けられて該回転アームの他端を制限し、これにより、該回転アームの他端が回転して該スライド空間内に凸伸しないものとされ、該弾性部品は該絶縁本体の後壁及び該連接棒の間に弾性当接する、上記カードイジェクト機構と、
該絶縁本体の該収容空間内に挿入される、カードシートと、
該絶縁本体の側壁に設けられ、内向きに該収容空間に伸入し並びに該カードシートの側端に弾性当接する、少なくとも一つのカード保持弾性片と、
を包含することを特徴とする、カードコネクタ。
【請求項２】
請求項１記載のカードコネクタにおいて、上述の絶縁本体の後壁に、側壁のスライド空間内に向けて凸伸する隔板が設けられ、該スライド空間後半部の空間が、第１空間と第２空間に分割され、該軌跡曲線溝は該第１空間内に設けられ、該カードイジェクト機構のスイングアームは該第１空間内に取り付けられ、弾性部品は該第２空間内に取り付けられることを特徴とする、カードコネクタ。
【請求項３】
請求項２記載のカードコネクタにおいて、上述の連接棒は、押動部、該押動部の後ろ表面より絶縁本体の第１空間において後ろ向きに延伸された連動部を具え、該連動部の末端に開孔が設けられ、上述のスイングアームは長条板状のスライドブロックを具え、該スライドブロックの下表面の前後両端に下向きに延伸された凸塊が設けられ、該スイングアームの前端の下向きに凸伸された凸塊は、回転自在に該連接棒の該開孔内に嵌合し、後端の凸塊はスライド自在に該第１空間内の軌跡曲線溝に沿って運動することを特徴とする、カードコネクタ。
【請求項４】
請求項３記載のカードコネクタにおいて、上述の連接棒は、押動部、該押動部の後ろ表面に、絶縁本体の第２空間において後ろ向きに凸伸形成された凸部、上述の絶縁本体の後壁に、該第２空間内において前向きに凸伸する凸柱が設けられ、該カードイジェクト機構の弾性部品の両端は、それぞれ該絶縁本体の後壁より凸伸する該凸柱及び該押動部より後ろ向きに凸伸された該凸部外に嵌合されることを特徴とする、カードコネクタ。
【請求項５】
請求項１記載のカードコネクタにおいて、上述の連接棒の前端は該絶縁本体の前表面より伸出し、並びにボタンに固定接続されることを特徴とする、カードコネクタ。
【請求項６】
請求項３記載のカードコネクタにおいて、上述のスイングアームは、スライドブロックの内側において該絶縁本体の収容空間に向けて凸伸し並びに後ろ向きに延伸されたプッシュブロックを有し、上述の回転アームは水平に延伸された回転部を有し、該回転部の右端は下向きに折り曲げられ並びに前向きに延伸されて後ろ向きに巻かれて当接部が形成され、該回転部の左側前端は下向きに折り曲げられて円弧形の付当て部が形成され、該スイングアームのプッシュブロックは該回転アームの当接部を押圧して該回転アームを回転させ、該回転アームの付当て部が該カードシートに突き当たり、カードシートを運動させることを特徴とする、カードコネクタ。
【請求項７】
請求項６記載のカードコネクタにおいて、上述の絶縁本体の後壁の回転アーム溝の溝底壁より上向きに凸軸が延伸され、該回転部の中部に回転孔が開設され、該回転アーム溝内の上向きに凸伸する凸軸が該回転アームの回転孔内に嵌合し、該スイングアームのプッシュブロックは該回転アームの当接部を押圧し、該回転アームを該凸軸を中心として回転させることを特徴とする、カードコネクタ。
【請求項８】
請求項３記載のカードコネクタにおいて、さらに該絶縁本体の外側に嵌合されるシールドケースが設けられ、該シールドケースは上板と、該上板の両側より下向きに延伸形成された一対の側板を具え、該シールドケースの上板に、後ろ向き下向きに延伸された係止部が設けられ、該スイングアームのスライドブロックの上表面に、上向きに凸伸する長条リブが設けられ、該シールドケースの上板の係止部は下向きに、該スイングアームの上向きに凸伸するリブを弾性押圧することを特徴とする、カードコネクタ。
【請求項９】
請求項１記載のカードコネクタにおいて、各一つの該導電端子は、第１固定部、該第１固定部の中間にプレス加工されて形成された第１弾性部と第１固定部の後端より後ろ向きに延伸された第１半田付け部を包含し、上述の絶縁本体の底壁に該底壁の上下表面を貫通する複数の導電端子溝が設けられ、該導電端子の第１固定部は底壁に固定され、該第１弾性部は該絶縁本体の導電端子溝内に置かれ且つ上向きに底壁の上表面より伸出し、該第１半田付け部は下向きに底壁の下表面より伸出することを特徴とする、カードコネクタ。
【請求項１０】
請求項１記載のカードコネクタにおいて、上述の各一つのカード保持弾性片は、第２固定部、第２固定部より延伸形成された第２当接部及び第２当接部より延伸形成された第２延伸部を包含し、該絶縁本体の両側壁前部に、該収容空間と連通するカード保持弾性片溝が開設され、該カードシートの両側に内向きに凹んだ一対の凹溝が設けられ、カード保持弾性片は該絶縁本体の両側壁のカード保持弾性片溝内に固着され、カード保持弾性片の第２固定部及び第２延伸部は、カード保持弾性片溝内に固定され、第２当接部は内向きに絶縁本体の側壁内表面において伸出し、並びにカードシートの両側の凹溝内に係止されることを特徴とする、カードコネクタ。
【請求項１１】
請求項１０記載のカードコネクタにおいて、上述のカードシートは、トレイ及び前蓋を包含し、該トレイにカード溝が設けられ、該トレイのカード溝前側に、該トレイを貫通するように一対の貫通孔が設けられ、該前蓋の後表面の上下両端それぞれが後ろ向きに突伸して一対の保持板が設けられ、該保持板はトレイの貫通孔に対応し、上下に該保持板を貫通する固定孔が設けられ、該カードシートにさらに一対の固定ブロックが設けられ、該トレイの前端は前蓋の二つの保持板の間に夾持され、該固定ブロックは該固定孔及び貫通孔を貫通して該トレイを該前蓋に固定することを特徴とする、カードコネクタ。
【請求項１２】
請求項１記載のカードコネクタにおいて、スイッチ端子セットをさらに包含し、該スイッチ端子セットはタッチコントロール端子と検出端子を包含し、該タッチコントロール端子は第３固定部、該第３固定部の前端より延伸形成された第３連接部、該第３連接部の末端よりアーチ状に延伸形成された第３突起部、該第３突起部の末端より延伸形成された第３当接部及び第３固定部の下端より延伸形成された第３半田付け部を具え、該検出端子は、第４連接部、該第４連接部の一端より下向きに延伸形成された第４固定部、該第４連接部の他端より前向きに折り曲げられ延伸形成された第４接触部、及び第４連接部の中部下端より延伸形成された第４半田付け部を具え、上述の絶縁本体は一側壁においてタッチコントロール端子溝が設けられ、該タッチコントロール端子溝は該収容空間に連通し、該絶縁本体の後壁にタッチコントロール端子溝に接続された検出端子溝が設けられ、該スイッチ端子セットのタッチコントロール端子は絶縁本体の側壁のタッチコントロール端子溝内に固着され、タッチコントロール端子の第３固定部及び第３連接部はタッチコントロール端子溝内に固定され、第３突起部及び第３当接部は内向きに絶縁本体の側壁内表面より伸出し、第３半田付け部は外向きにタッチコントロール端子溝の外側溝壁より伸出し、スイッチ端子セットの検出端子は絶縁本体の後壁の検出端子溝内に固着され、検出端子の第４連接部、第４固定部及び第４接触部は検出端子溝内に固定され、第４半田付け部は後ろ向きに絶縁本体の後壁後表面より伸出することを特徴とする、カードコネクタ。
【考案の詳細な説明】
【技術分野】
【０００１】
本考案は一種のコネクタに係り、特に一種のカードコネクタに関する。
【背景技術】
【０００２】
メッセージ技術の発展に伴い、携帯電話等の通信製品はますます広く応用されるようになった。携帯電話はＳＩＭ(Subscriber Identity Module)カードを配備することによって、その通信機能を実現しており、ＳＩＭカードはＳＩＭカードコネクタによって携帯電話内部の回路板との電気的接続を実現している。周知のカードコネクタは、絶縁本体、絶縁本体上に一体成形された複数の導電端子、絶縁本体内に取り付けられたカードイジェクト機構及び絶縁本体外を閉じるシールドケースを包含する。
【０００３】
しかし、周知のカードコネクタはデジタルカードの出し入れに際して補助工具を使用しなければデジタルカードのイジェクトが行なえない。人々は通常、補助工具を常に携行しているわけではないため、使用者がカードを取り出すのに極めて不便である。
【考案の概要】
【考案が解決しようとする課題】
【０００４】
本考案の目的は、周知の技術に存在する欠点及び不足のところに対して、一種のカードコネクタを提供することにあり、該カードコネクタは補助工具の助けによらずともデジタルカードの出し入れができるものとする。
【課題を解決するための手段】
【０００５】
上述の目的を達成するため、本考案は一種のカードコネクタを提供し、デジタルカードの出し入れに供する。該カードコネクタは、絶縁本体、複数の導電端子、カードイジェクト機構、カードシート及びカード保持弾性片を包含する。該絶縁本体は底壁、該底壁の後側端及び両側端がそれぞれ上向きに垂直に延伸されてなる後壁及び両側壁、該底壁、該後壁及び該両側壁で囲まれてなる収容空間を包含し、該絶縁本体は一側壁にスライド空間が設けられ、該スライド空間内に軌跡曲線溝が設けられ、該絶縁本体の後壁中部に回転アーム溝が設けられている。該複数の導電端子は該絶縁本体の底壁に一体成形される。該カードイジェクト機構は連接棒、該連接棒の後端に枢接されたスイングアーム、該スイングアームと協働する回転アーム及び弾性部品を包含する。該連接棒、該スイングアームは、該絶縁本体の側壁の該スライド空間内に取り付けられ、該スイングアームの後端はスライド自在に軌跡曲線溝に沿って運動し、該回転アームの中部は該絶縁本体の後壁の回転アーム溝内に枢接され、これにより、回転アームの一端が回転可能に該収容空間内に凸伸し、該回転アームの後表面に、位置制限面が設けられて該回転アームの他端を制限し、これにより、該回転アームの他端が回転して該スライド空間内に凸伸しないものとされる。該弾性部品は該絶縁本体の後壁及び該連接棒の間に弾性当接し、該カードシートは該絶縁本体の該収容空間に挿入され、該カード保持弾性片は該絶縁本体の側壁に固着され、内向きに収容空間内に伸入し並びにカードシートの側端に弾性当接する。
【考案の効果】
【０００６】
上述したように、本考案のカードコネクタはカードイジェクト機構の連動方式を利用しデジタルカードの出し入れを完成し、これにより使用者はデジタルカードの出し入れのために他の工具を使用する必要がなくなり、使用に便利である。
【図面の簡単な説明】
【０００７】
【図１】本考案のカードコネクタのある実施例の立体図である。
【図２】図１のカードコネクタの立体分解図である。
【図３】図１のカードコネクタの動作過程図である。
【図４】図１のカードコネクタの動作過程図である。
【図５】図１のカードコネクタの動作過程図である。
【図６】図１のカードコネクタの動作過程図である。
【考案を実施するための形態】
【０００８】
以下に本考案の技術内容、構造特徴、達成する目的及び作用効果について、以下に例を挙げ並びに図面を組み合わせて詳細に説明する。
【０００９】
図１及び図２を参照されたい。本考案のカードコネクタ１００は、デジタルカード２００の出し入れに用いられ、絶縁本体１０、複数の導電端子２０、一対のカード保持弾性片３０、スイッチ端子セット４０、カードイジェクト機構５０、カードシート６０及びシールドケース７０を包含する。
【００１０】
図２を参照されたい。上述の絶縁本体１０は、ほぼ矩形板状を呈する底壁１１、底壁１１の後側端及び両側端よりそれぞれ上向きに垂直に延伸されてなる後壁１２及び両側壁１３、底壁１１、後壁１２及び両側壁１３に囲まれてなりカードシート６０を収容する収容空間１４を具えている。絶縁本体１０の底壁１１には複数の、底壁１１の上下表面を貫通する導電端子溝１１１が設けられている。絶縁本体１０の両側壁１３前部にはそれぞれ収容空間１４と連通するカード保持弾性片溝１３１が開設されている。絶縁本体１０の一つの側壁１３のカード保持弾性片溝１３１の後側にタッチコントロール端子溝１３２が設けられ、該タッチコントロール端子溝１３２は収容空間１４に連通する。絶縁本体１０のもう一つの側壁１３のカード保持弾性片溝１３１の外側に、カードイジェクト機構５０を取り付けるためのスライド空間１３３が設けられている。絶縁本体１０の後壁１２に、側壁１３のスライド空間１３３内に向けて凸伸する隔板１２１が設けられ、これによりスライド空間１３３の後半部空間が、第１空間１３３１及び第２空間１３３２に分割され、該第１空間１３３１内に、軌跡曲線溝１３３３が設けられる。絶縁本体１０の後壁１２に、第２空間１３３２内に向けて前向きに凸伸された凸柱１２２がある。絶縁本体１０の後壁１２に、タッチコントロール端子溝１３２と連通する検出端子溝１２３が設けられ、絶縁本体１０の後壁１２中部に、回転アーム溝１２４が設けられ、該回転アーム溝１２４の溝底壁に、上向きに凸伸する凸軸１２５が設けられている。
【００１１】
上述の各一つの導電端子２０は、第１固定部２１、第１固定部２１の中間にプレス加工されてなり後ろ向き上向きに折り曲げられてから下向きに折り曲げられ延伸された第１弾性部２２と第１固定部２１の後端より後ろ向きに延伸されさらに下向きに折り曲げられ延伸された後さらに後ろ向きに折り曲げられ延伸された第１半田付け部２３を包含する。
【００１２】
上述の各カード保持弾性片３０はＵ形を呈する第２固定部３１、該第２固定部３１の内側端より内向き後ろ向きに延伸された後にさらに外向き後ろ向きに延伸されて形成された第２当接部３２、及び該第２当接部３２の末端より後ろ向きに延伸形成された第２延伸部３３を包含する。
【００１３】
上述のスイッチ端子セット４０は、タッチコントロール端子４１及び検出端子４２を包含する。該タッチコントロール端子４１は前後に延伸された第３固定部４１１、第３固定部４１１の前端より上向きに延伸されさらに後ろ向きに折り曲げられて延伸され形成された第３連接部４１２、第３連接部４１２の末端より絶縁本体１０の収容空間１４に向けて隆起するよう形成された第３突起部４１３、第３突起部４１３の末端より後ろ向きに延伸形成された第３当接部４１４、及び第３固定部４１１の下端より外向きに折り曲げられ延伸されて形成された第３半田付け部４１５を具えている。検出端子４２は左右に延伸された第４連接部４２１、第４連接部４２１の一端より下向きに延伸形成された第４固定部４２２、第４連接部４２１の他端より前向きに折り曲げられ延伸形成された第４接触部４２３及び第４連接部４２１の中部下端が後ろ向きに折り曲げられ延伸されて形成された第４半田付け部４２４を具えている。
【００１４】
上述のカードイジェクト機構５０は連接棒５１、連接棒５１前端に固定接続されたボタン５２、連接棒５１後端に枢接されたスイングアーム５３、スイングアーム５３と協働するよう接続された回転アーム５４及び弾性部品５５を包含する。
【００１５】
上述の連接棒５１はＴ形板状を呈する押動部５１１、該押動部５１１の後表面より絶縁本体１０の第１空間１３３１において後ろ向きに延伸形成された連動部５１２及び押動部５１１の後表面より絶縁本体１０の第２空間１３３２において後ろ向きに延伸形成された凸部５１３を具えている。該連動部５１２の末端には開孔５１４が設けられている。
【００１６】
上述のスイングアーム５３は長条板状のスライドブロック５３１及びスライドブロック５３１内側より絶縁本体１０の収容空間１４に向けて凸伸し並びに後ろ向きに延伸形成されたプッシュブロック５３２を具えている。該スライドブロック５３１の上表面に上向きに凸伸する長条リブ５３３が設けられている。該スライドブロック５３１の下表面前後両端それぞれに下向きに凸伸する凸塊５３４が設けられている。
【００１７】
上述の回転アーム５４は水平に左右に延伸された回転部５４１を具え、回転部５４１の中部に回転孔５４２が開設されている。該回転部５４１の右端に下向きに折り曲げられ並びに前向きに延伸され後ろ向きに巻かれて当接部５４３が形成されている。該回転部５４１の左側前端が下向きに折り曲げられて円弧形の付当て部５４４が形成されている。
【００１８】
上述のカードシート６０はトレイ６１、前蓋６２及び一対の固定ブロック６３を包含する。上述のトレイ６１にはカード溝６１１が設けられ、トレイ６１のカード溝６１１の前側は、トレイ６１を貫通するように一対の貫通孔６１２が開設され、トレイ６１の両側それぞれに内向きにへこんだ凹溝６１３が設けられている。上述の前蓋６２はほぼ長条塊状を呈し、その後表面上下両端それぞれに、後ろ向きに凸伸する一対の保持板６２１が設けられ、前蓋６２の保持板６２１は、トレイ６１の貫通孔６１２に対応して上下に保持板６２１を貫通する固定孔６２２が設けられている。カードシート６０のトレイ６１の前端は、前蓋６２の二つの保持板６２１の間に保持され、固定ブロック６３は固定孔６２２と貫通孔６１２を貫通してトレイ６１を前蓋６２に固定する。
【００１９】
上述のシールドケース７０は、上板７１及び上板７１の両側端より下向きに延伸形成された一対の側板７２を具え、シールドケース７０の上板７１に、後ろ向き下向きに延伸された係止部７１１が設けられている。
【００２０】
図２と図３を参照されたい。本考案のカードコネクタ１００を組み立てる時は、複数の導電端子２０が絶縁本体１０の底壁１１に一体成形され、導電端子２０の第１固定部２１は底壁１１に固定され、第１弾性部２２は絶縁本体１０の導電端子溝１１１内に置かれ、且つ上向きに底壁１１の上表面より伸出し、第１半田付け部２３は下向きに底壁１１の下表面より伸出する。一対のカード保持弾性片３０は絶縁本体１０の両側壁１３のカード保持弾性片溝１３１内に固着され、カード保持弾性片３０の第２固定部３１及び第２延伸部３３はカード保持弾性片溝１３１内に固定され、第２当接部３２は内向きに、絶縁本体１０の側壁１３内表面より伸出する。スイッチ端子セット４０のタッチコントロール端子４１は絶縁本体１０の側壁１３のタッチコントロール端子溝１３２内に固着され、タッチコントロール端子４１の第３固定部４１１及び第３連接部４１２はタッチコントロール端子溝１３２内に固定され、第３突起部４１３及び第３当接部４１４は内向きに、絶縁本体１０の側壁１３内表面より伸出し、第３半田付け部４１５は外向きに、タッチコントロール端子溝１３２の外側溝壁より伸出する。スイッチ端子セット４０の検出端子４２は、絶縁本体１０の後壁１２の検出端子溝１２３内に固着され、検出端子４２の第４連接部４２１、第４固定部４２２及び第４接触部４２３は検出端子溝１２３内に固定され、第４半田付け部４２４は絶縁本体１０の後壁１２後表面より後ろ向きに伸出する。
【００２１】
カードイジェクト機構５０は側壁１３のスライド空間１３３及び後壁１２の回転アーム溝１２４内に取り付けられる。カードイジェクト機構５０の連接棒５１、連接棒５１の前端に固着されたボタン５２は絶縁本体１０の側壁１３のスライド空間１３３内に取り付けられ並びに前向きに絶縁本体１０の前表面外に伸出し、連接棒５１に可動に接続されたスイングアーム５３は、スライド空間１３３の第１空間１３３１内に取り付けられ、そのうち、スイングアーム５３前端の下向きに凸伸する凸塊５３４は、回転可能に連接棒５１の開孔５１４内に嵌合され、後端の凸塊５３４は、スライド可能に第１空間１３３１内の軌跡曲線溝１３３３に沿って運動する。カードイジェクト機構５０の弾性部品５５は、第２空間１３３２内に取り付けられ、弾性部品５５は絶縁本体１０の後壁１２及び連接棒５１の間に弾性当接し、且つその両端はそれぞれ絶縁本体１０の後壁１２より凸伸する凸柱１２２及びカードイジェクト機構５０の連接棒５１の押動部５１１より後ろ向きに凸伸された凸部５１３外に嵌合される。カードイジェクト機構５０の回転アーム５４は、絶縁本体１０の後壁１２の回転アーム溝１２４内に取り付けられ、回転アーム５４の一端は、回転可能に収容空間１４内に凸伸し、回転アーム５４の後表面に、位置制限面（図示せず）が設けられて、回転アーム５４及び他端を制限し、これにより、回転アーム５４の他端は、回転してスライド空間１３３内に至ることはできず、回転アーム溝１２４内の上向きに延伸された凸軸１２５は回転アーム５４の回転孔５４２内に嵌合する。
【００２２】
カードシート６０は前から後ろに絶縁本体１０の収容空間１４内に挿入され、カード保持弾性片３０の第２当接部３２がカードシート６０のトレイ６１両側の凹溝６１３内に嵌合される。
【００２３】
シールドケース７０は絶縁本体１０外部に嵌合され、シールドケース７０の上板７１の係止部７１１は、下向きに、カードイジェクト機構５０のスイングアーム５３の上向きに凸伸するリブ５３３を弾性押圧し、これによりスイングアーム５３及び凸塊５３４が絶縁本体１０のスライド空間１３３の軌跡曲線溝１３３３より離脱するのを防止する。こうして、本考案のカードコネクタ１００の組み立てが完成する。
【００２４】
図４から図６を参照されたい。本考案のカードコネクタ１００は使用時に、まず、ボタン５２を押圧して連接棒５１を駆動して後ろ向きに運動させ、弾性部品５５を圧縮させ並びに弾性エネルギーを蓄積させ、連接棒５１によりスイングアーム５３を駆動してスイングアーム５３の下向きに凸伸する凸塊５３４を軌跡曲線溝１３３３に沿って右向き後ろ向きに運動させる。その後、弾性部品５５が弾性エネルギーを釈放することで、連接棒５１及び連接棒５１に固定されたボタン５２は前向きに運動し、連接棒５１がスイングアーム５３を駆動し、スイングアーム５３の下向きに凸伸する凸塊５３４を軌跡曲線溝１３３３に沿って前向きに、連接棒５１がスライド空間１３３の前側溝壁に突き当たるまで運動させ、このとき、ボタン５２ははじき出される。
【００２５】
次に、ボタン５２が押されて連接棒５１が駆動され内向きに運動し、弾性部品５５が圧縮され、連接棒５１がスイングアーム５３を駆動し、スイングアーム５３の下向きに凸伸する凸塊５３４を、軌跡曲線溝１３３３に沿って後ろ向きに運動させ、スイングアーム５３のプッシュブロック５３２が回転アーム５４の当接部５４３を押圧し、回転アーム５４に凸軸１２５を中心として逆時計周りに回転させ、回転アーム５４の付当て部５４４をカードシート６０に付き当ててカードシート６０を前向きに運動させ、同時にカード保持弾性片３０の第２当接部３２をカードシート６０の凹溝６１３より離脱させ、カードシート６０が弾性突出し、弾性部品５５が弾性エネルギーを釈放して連接棒５１及び連接棒５１に固定されたボタン５２を前向きに運動させ、連接棒５１がスイングアーム５３を駆動しスイングアーム５３の下向きに凸伸する凸塊５３４を軌跡曲線溝１３３３に沿って右向き後ろ向きに運動させて開始状態を回復させる。
【００２６】
最後に、デジタルカード２００がカードシート６０のトレイ６１のカード溝６１１内に挿入され、カードシート６０が後ろ向きに押動されて、カードシート６０が回転アーム５４の当接部５４３に突き当たり、回転アーム５４が時計周り方向にもとの位置にもどされ、カード保持弾性片３０の第２当接部３２がカードシート６０の凹溝６１３内に嵌合する。
【００２７】
以上に述べられたように、本考案のカードコネクタ１００は、カードイジェクト機構５０の連動の方式を利用し、デジタルカード２００の出し入れを完成し、これにより使用者が他の工具を利用しなくてもカードの出し入れが完成し、これにより使用に便利である。
【符号の説明】
【００２８】
１００  カードコネクタ
１０  絶縁本体
１１  底壁
１１１  導電端子溝
１２  後壁
１２１  隔板
１２２  凸柱
１２３  検出端子溝
１２４  回転アーム溝
１２５  凸軸
１３  側壁
１３１  カード保持弾性片溝
１３２  タッチコントロール端子溝
１３３  スライド空間
１３３１  第１空間
１３３２  第２空間
１３３３  軌跡曲線溝
２０  導電端子
２１  第１固定部
２２  第１弾性部
２３  第１半田付け部
３０  カード保持弾性片
３１  第２固定部
３２  第２当接部
３３  第２延伸部
４０  スイッチ端子セット
４１  タッチコントロール端子
４１１  第３固定部
４１２  第３連接部
４１３  第３突起部
４１４  第３当接部
４１５  第３半田付け部
４２  検出端子
４２１  第４連接部
４２２  第４固定部
４２３  第４接触部
４２４  第４半田付け部
５０  カードイジェクト機構
５１  連接棒
５１１  押動部
５１２  連動部
５１３  凸部
５１４  開孔
５２  ボタン
５３  スイングアーム
５３１  スライドブロック
５３２  プッシュブロック
５３３  リブ
５３４  凸塊
５４  回転アーム
５４１  回転部
５４２  回転孔
５４３  当接部
５４４  付当て部
５５  弾性部品
６０  カードシート
６１  トレイ
６１１  カード溝
６１２  貫通孔
６１３  凹溝
６２  前蓋
６２１  保持板
６２２  固定孔
６３  固定ブロック
７０  シールドケース
７１  上板
７１１  係止部
７２  側板
【図１】
0003188646.tif 000003
【図２】
0003188646.tif 000004
【図３】
0003188646.tif 000005
【図４】
0003188646.tif 000006
【図５】
0003188646.tif 000007
【図６】
0003188646.tif 000008